(57)【要約】【課題】路面からの灯体14の突出高さを高くすることなく、路面に対して低い角度の配光を得ることができる埋込形標識灯11を提供する。【解決手段】灯体14には、互いに逆向きでそれぞれ側方へ向けて光を出射可能とする２つの出射窓31を設け、各出射窓31から灯体本体25の外周部へ向けて出射溝32を設ける。２つの出射窓31を灯体本体25の中心位置25aに対して互い違いに配置するとともに、各出射窓31の少なくとも一部を灯体本体25の中心位置25aより出射方向ａに対して反対側に配置する。出射方向ａにおける出射窓31と灯体本体25の外周部との距離を長くし、路面に対して浅い角度の光を出射する。【選択図】図１
2008311207.tif 000002
【特許請求の範囲】
【請求項１】
灯体本体、灯体本体の上部側に設けられた互いに逆向きでそれぞれ側方へ向けて光を出射可能とする２つの出射窓、および各出射窓から灯体本体の外周部へ向けて設けられた出射溝を有し、２つの出射窓が灯体本体の中心位置に対して互い違いに配置されているとともに、各出射窓の少なくとも一部が灯体本体の中心位置より出射方向に対して反対側に配置されている灯体と；
灯体内に配置される光源と；
光源の光を出射窓から出射させる光学系と；
を具備していることを特徴とする埋込形標識灯。
【請求項２】
光学系は、出射窓に設けられ、光源からの光を全反射させて出射窓から出射するプリズムを有する
ことを特徴とする請求項１記載の埋込形標識灯。
【請求項３】
灯体が設置される設置部材と；
灯体と設置部材とを締結する締結部品とを具備し、
灯体の灯体本体には、締結部品によって設置部材に締結する複数の締結部が設けられているとともに、少なくとも１つの締結部が出射溝の位置に設けられ、出射溝の締結部には出射溝の底面よりも低い位置に締結部品が位置されている
ことを特徴とする請求項１または２記載の埋込形標識灯。
【請求項４】
灯体の灯体本体には、灯体を設置部材から取り外す治具が係合される複数の治具係合部が設けられているとともに、少なくとも１つの治具係合部が締結部の位置に設けられている
ことを特徴とする請求項３記載の埋込形標識灯。
【発明の詳細な説明】
【技術分野】
【０００１】
本発明は、路面に埋め込み設置される埋込形標識灯に関する。
【背景技術】
【０００２】
従来、例えば、空港の滑走路や誘導路の路面に、航空機を誘導するための航空標識灯などの埋込形標識灯が埋め込み設置されている。この埋込形標識灯は、灯体上部が路面から少し突出した状態に設置され、その灯体上部に側方へ向けて形成された出射窓から光を出射し、航空機を操縦するパイロットから視認できるようにしている。
【０００３】
このような埋込形標識灯では、互いに逆向きでそれぞれ側方へ向けて光を出射する２つの出射窓を灯体に形成した双方向形がある。この双方向形の埋込形標識灯では、２つの出射窓が、灯体中心位置に対して互い違いに配置されているとともに、出射方向に対して灯体中心位置より前側つまり出射方向寄りの位置であって、出射窓の前面が灯体の外周部に近い位置に配置されている。各出射窓にはプリズムが配置され、このプリズムの後方に光源部が配置されている（例えば、特許文献１参照。）。
【特許文献１】特開２００４−３６２９７７号公報（第９頁、図３−４）
【発明の開示】
【発明が解決しようとする課題】
【０００４】
埋込形標識灯では、出射方向における出射窓の下部と灯体外周部との距離が近く、路面に対して低い角度の配光つまり鉛直角０度に近い配光を得ようとした場合、路面に対する出射窓の高さを高くしなければならない。
【０００５】
しかし、路面に対する出射窓の高さを高くすると、路面から突出する灯体の突出高さが高くなり、この灯体上を航空機が通過するうえで好ましくない。
【０００６】
本発明は、このような点に鑑みなされたもので、路面からの灯体の突出高さを高くすることなく、路面に対して低い角度の配光を得ることができる埋込形標識灯を提供することを目的とする。
【課題を解決するための手段】
【０００７】
請求項１記載の埋込形標識灯は、灯体本体、灯体本体の上部側に設けられた互いに逆向きでそれぞれ側方へ向けて光を出射可能とする２つの出射窓、および各出射窓から灯体本体の外周部へ向けて設けられた出射溝を有し、２つの出射窓が灯体本体の中心位置に対して互い違いに配置されているとともに、各出射窓の少なくとも一部が灯体本体の中心位置より出射方向に対して反対側に配置されている灯体と；灯体内に配置される光源と；光源の光を出射窓から出射させる光学系と；を具備しているものである。
【０００８】
埋込形標識灯は、例えば、空港の滑走路や誘導路などの路面に埋め込み設置される航空標識灯があるが、これに限らず、道路など路面に埋め込み設置される道路標識灯でもよい。
【０００９】
互いに逆向きの２つの出射窓は、正反対の向きに限らず、正反対の方向以外の方向で異なる向きの場合も含まれる。
【００１０】
出射溝は、出射窓の下部から灯体本体の外周部の上端にわたって傾斜状に形成されている場合が含まれる。
【００１１】
出射窓の少なくとも一部とは、出射窓の一部または全部が含まれる。
【００１２】
灯体本体の中心位置より出射方向に対して反対側とは、例えば、出射方向に対し直交して灯体本体の中心位置を通る仮想線より出射方向に対して反対側でもよい。
【００１３】
光源は、例えば、他の光源に比べて小形である発光ダイオードが好ましいが、発光ダイオードに限定されるものではない。
【００１４】
光学系には、例えば、レンズ、プリズム、反射鏡などを用いてもよい。
【００１５】
そして、灯体の２つの出射窓を灯体本体の中心位置に対して互い違いに配置するとともに、各出射窓の少なくとも一部を灯体本体の中心位置より出射方向に対して反対側に配置することにより、出射方向における出射窓と灯体本体の外周部との距離を従来に比べて長くし、路面に対して浅い角度の光を出射できるようになり、そのため、路面からの灯体の突出高さを高くすることなく、路面に対して低い角度の配光が得られる。
【００１６】
請求項２記載の埋込形標識灯は、請求項１記載の埋込形標識灯において、光学系は、出射窓に設けられ、光源からの光を全反射させて出射窓から出射するプリズムを有するものである。
【００１７】
プリズムは、例えば、パッキングを介して出射窓に液密に取り付けられ、光源からの光が入射する入射方向と反射した光が出射窓から出射する出射方向とが略Ｌ字状となる関係を有するように構成することにより、光源からの光を全反射させて出射窓から出射するようにしてもよい。
【００１８】
そして、プリズムで光源から入射する光を全反射させて出射窓から出射させることにより、光学系が小さくなり、灯体の２つの出射窓を灯体本体の中心位置に対して互い違いに配置するとともに、各出射窓の少なくとも一部を灯体本体の中心位置より出射方向に対して反対側に配置することを許容する。
【００１９】
請求項３記載の埋込形標識灯は、請求項１または２記載の埋込形標識灯において、灯体が設置される設置部材と；灯体と設置部材とを締結する締結部品とを具備し、灯体の灯体本体には、締結部品によって設置部材に締結する複数の締結部が設けられているとともに、少なくとも１つの締結部が出射溝の位置に設けられ、出射溝の締結部には出射溝の底面よりも低い位置に締結部品が位置されているものである。
【００２０】
設置部材は、例えば、路面に埋め込み設置される基台や、この基台上に取り付けられる高さ調整用や回転方向位置調整用のアダプタなど、いずれでもよい。
【００２１】
締結部品は、例えば、ボルトおよびナットが用いられ、設置部材側に設置されるボルトに対して灯体本体側からナットを締結する場合には袋ナットを用いて螺合部分への砂や埃の侵入を防止することが好ましい。
【００２２】
灯体本体の締結部は、例えば、灯体本体の周方向の３個所や４箇所などに設けられ、締結部品が位置されて締結可能であればよく、締結部品のナットを収納配置する凹部やこの凹部の底面に締結部品のボルトが挿通する取付孔を形成してもよい。
【００２３】
出射溝の底面よりも低い位置に締結部品が位置されることは、例えば、高さの低いナットを用いたり、締結部の底面の位置を低くすることなどにより可能となる。
【００２４】
そして、路面からの灯体の突出高さを低くしても、出射溝を通過する光を締結部品が遮ることがなく、所望の配光が得られる。
【００２５】
請求項４記載の埋込形標識灯は、請求項３記載の埋込形標識灯において、灯体の灯体本体には、灯体を設置部材から取り外す治具が係合される複数の治具係合部が設けられているとともに、少なくとも１つの治具係合部が締結部の位置に設けられているものである。
【００２６】
治具を灯体本体の複数の治具係合部に係合して上方に引き上げることにより灯体を設置部材から取り外すことができる。
【００２７】
治具係合部は、例えば、治具を係合可能な形状であればよく、溝、孔、溝内に突出する突起など、いずれでもよい。
【００２８】
そして、治具係合部を締結部の位置に設けることにより、治具係合部と締結部とを兼用し、灯体本体の構造が簡単になって製造性が向上する。
【発明の効果】
【００２９】
請求項１記載の埋込形標識灯によれば、灯体の２つの出射窓を灯体本体の中心位置に対して互い違いに配置するとともに、各出射窓の少なくとも一部を灯体本体の中心位置より出射方向に対して反対側に配置することにより、出射方向における出射窓と灯体本体の外周部との距離を従来に比べて長くし、路面に対して浅い角度の光を出射できるようになり、そのため、路面からの灯体の突出高さを高くすることなく、路面に対して低い角度の配光を得ることができる。
【００３０】
請求項２記載の埋込形標識灯によれば、請求項１記載の埋込形標識灯の効果に加えて、光学系のプリズムで光源から入射する光を全反射させて出射窓から出射させることにより、光学系を小さくでき、灯体の２つの出射窓を灯体本体の中心位置に対して互い違いに配置するとともに、各出射窓の少なくとも一部を灯体本体の中心位置より出射方向に対して反対側に配置することを許容できる。
【００３１】
請求項３記載の埋込形標識灯によれば、請求項１または２記載の埋込形標識灯の効果に加えて、出射溝の位置に設けられる締結部では、出射溝の底面よりも低い位置に締結部品を位置させることにより、路面からの灯体の突出高さを低くしても、出射溝を通過する光を締結部品が遮ることがなく、所望の配光を得ることができる。
【００３２】
請求項４記載の埋込形標識灯によれば、請求項３記載の埋込形標識灯の効果に加えて、灯体を設置部材から取り外す治具が係合される複数の治具係合部のうち、少なくとも１つの治具係合部を締結部の位置に設けることにより、治具係合部と締結部とを共用でき、灯体本体の構造が簡単になって製造性を向上できる。
【発明を実施するための最良の形態】
【００３３】
以下、本発明の一実施の形態を、図面を参照して説明する。
【００３４】
図１および図２に第１の実施の形態を示し、図１は埋込形標識灯の平面図、図２は埋込形標識灯の１つの出射窓および出射溝を通る断面図である。
【００３５】
埋込形標識灯11は、例えば、空港の滑走路や誘導路などの路面12に埋め込み設置される航空標識灯であり、路面12に埋め込み設置される図示しない基台と、この基台の上部に取り付けられる設置部材としての回転方向位置調整用のアダプタリング13と、このアダプタリング13の上部に着脱可能に取り付けられる灯体14とを備えている。
【００３６】
アダプタリング13には、底部18およびこの底部18の外周部から立設された円筒状の周壁部19が形成され、これら底部18および周壁部19によって灯体14を収納する収納部20が上方に開口形成されている。底部18の周縁部には基台に図示しないボルトで取り付けるための複数の取付孔21および灯体14を取り付けるための図示しないボルトが下方から挿通されて突出する複数の挿通孔22がそれぞれ形成され、底部18の中央には基台内に連通する開口部23が形成されている。基台には、灯体14に電源を供給するケーブルが配線されている。そして、アダプタリング13の周壁部19の上端が路面12と略一致する高さに埋め込み設置されている。
【００３７】
また、灯体14は、円盤状の灯体本体25を有し、この灯体本体25の外周部近傍には周方向の複数箇所であって３箇所にアダプタリング13と締結する締結部26が形成されている。これら締結部26にはそれぞれ凹部27および凹部27の底部に取付孔28が形成されている。そして、灯体本体25がパッキング29を介してアダプタリング13の収納部20に嵌め込まれ、アダプタリング13側から突出する図示しない締結部品の各ボルトが各取付孔28から上方に突出し、これらボルトに図示しない締結部品のナットを螺合して締め付けることにより、灯体14がアダプタリング13に液密に固定されている。そして、灯体14の上面は、外周部よりも中央部が上方に少し突出する凸形状で、アダプタリング13に取り付けられた灯体14の上面の外周部はアダプタリング13の周壁部19の上端部つまり路面12と略同じ高さに配置されるとともに、灯体14の上面の中央部はアダプタリング13の周壁部19の上端部および路面12よりも少し上方に突出して配置されている。その灯体14の上面の中央部には平坦部14aが形成されている。
【００３８】
灯体本体25の上部側には、互いに正反対となる逆向きでそれぞれ側方へ向けて光を出射可能とする２つの出射窓31、および各出射窓31から灯体本体25の外周部へ向けて設けられた出射溝32が形成されている。
【００３９】
２つの出射窓31は、四角形の開口形状で、灯体本体25の中心位置25aに対して互い違いとなる位置にそれぞれ配置されているとともに、各出射窓31の少なくとも一部が灯体本体25の中心位置25aより出射方向ａに対して反対側にそれぞれ配置されている。
【００４０】
出射溝32は、出射窓31の下部から灯体本体25の外周部の上端にわたって傾斜状に形成される溝底面33、および出射窓31の左右両側部から徐々に拡開するように形成される両側の溝側面34を有し、上方および側方の出射方向ａへ向けて拡開開口されている。
【００４１】
灯体14には、各出射窓31に対応して、光源としての発光ダイオード36、およびこの発光ダイオード36の光を出射窓31から出射させる光学系37がそれぞれ配置されている。
【００４２】
光学系37は、発光ダイオード36の光を入射して配光を制御するレンズ38、およびこのレンズ38で配光が制御された光を出射窓31から出射するプリズム39を有している。これらレンズ38およびプリズム39は、発光ダイオード36とともに、灯体本体25の下面に液密に取り付けられる図示しない下部カバーに覆われて取り付けられている。
【００４３】
プリズム39は、出射窓31の内側から図示しないパッキングを介して液密に嵌め込まれ、この状態で灯体本体25の下面に取り付けられる押え板40によって保持されている。プリズム39には、レンズ38から光を入射する入射面41、入射した光を反射させる反射面42、および反射した光を出射窓31から出射させる出射面43が形成されている。そして、レンズ38からの光がプリズム39の反射面42によって略全反射するようにプリズム39の反射面42が形成および配置されている。すなわち、プリズム39の下方にレンズ38が対向配置され、このレンズ38からプリズム39に光が入射する入射方向と反射面42で反射した光が出射窓31から出射する出射方向ａとが略Ｌ字状となる関係に配置されている。
【００４４】
そして、このように構成された埋込形標識灯11では、発光ダイオード36の点灯により、この発光ダイオード36の光をレンズ38に入射し、このレンズ38で配光が制御されて出射する光をプリズム39の入射面41から入射し、このプリズム39に入射した光を反射面42で全反射するとともに出射面43から出射し、つまり出射窓31から出射溝32を通じて光を側方へ出射する。
【００４５】
このとき、灯体14の２つの出射窓31が灯体本体25の中心位置25aに対して互い違いに配置されるとともに、各出射窓31の少なくとも一部が灯体本体25の中心位置25aより出射方向ａに対して反対側に配置されることにより、出射方向ａにおける出射窓31と灯体本体25の外周部との距離を従来に比べて長くでき、路面12に対して浅い角度の光を出射できる。
【００４６】
そのため、路面12からの灯体14の突出高さを高くすることなく、路面12に対して低い角度の配光を得ることができる。
【００４７】
さらに、灯体14の２つの出射窓31の位置が灯体本体25の中心位置25aに近付くため、灯体14の頂部の平坦部14aを小さくでき、荷重を分散させやすく、灯体14の耐荷重性能を向上できる。
【００４８】
また、光学系37にプリズム39を用い、発光ダイオード36から入射する光を全反射させて出射窓31から出射させる構成とすることにより、光学系37を小さくでき、上述のような２つの出射窓31の配置を許容できる。
【００４９】
次に、図３に第２の実施の形態を示し、図３は埋込形標識灯の平面図である。
【００５０】
２つの出射窓31は、光の出射方向ａが正反対の方向以外の方向の場合でも、灯体本体25の中心位置25aに対して互い違いとなる位置にそれぞれ配置できるとともに、各出射窓31の少なくとも一部が灯体本体25の中心位置25aより出射方向ａに対して反対側にそれぞれ配置できる。
【００５１】
次に、図４ないし図６に第３の実施の形態を示し、図４は埋込形標識灯の平面図、図５は埋込形標識灯の１つの出射窓および出射溝を通る断面図、図６は埋込形標識灯の光の出射方向と直交する方向の断面図である。
【００５２】
図４に示すように、灯体14の３個所の締結部26は、１つの締結部26が各出射窓31から光を出射する出射方向ａに対して直交する位置に設けられ、この１つの締結部26を基準として残りの２つの締結部26が周方向に等角度に配置される位置に設けられている。
【００５３】
図４および図５に示すように、３個所の締結部26のうちの１つは、一方の出射溝32と干渉する位置に設けられている。
【００５４】
また、灯体14の各締結部26においてアダプタリング13と締結する締結部品51には、ボルト52およびナット53が用いられている。ボルト52は、頭部52aおよびねじ山が形成された軸部52bを有し、軸部52bがアダプタリング13の挿通孔22の下方から挿入され、頭部52aがアダプタリング13の下面に当接して係合した状態で軸部52bの先端が収納部20の底面より突出されている。アダプタリング13の収納部20に灯体14を上方から挿入して配置した際、ボルト52の軸部52bの先端が灯体14の締結部26の取付孔28を挿通して凹部27内に突出する。この状態で、軸部52bの先端位置は、出射溝32の溝底面33よりも低い位置に配置されている。
【００５５】
ナット53は、ボルト52との螺合部分への砂や埃の侵入を防止するために軸方向の一端側である上面側を閉塞した袋ナットが用いられているが、一般的な袋ナットよりも軸方向の厚みが小さいものが用いられている。
【００５６】
そして、ナット53を、ワッシャ54を介して凹部27内に突出しているボルト52の軸部52bに螺合することにより、灯体14をアダプタリング13に締め付けて固定する。この締結状態では、ナット53は、凹部27内に収まり、出射溝32の溝底面33よりも低い位置に配置されている。これは、高さの低いナット53を用いるとともに、凹部27の深さを深くしてナット53の締結位置を低くすることなどにより可能となっている。
【００５７】
このように、出射溝32の位置に設けられる締結部26では、出射溝32の溝底面33よりも低い位置に締結部品51のナット53を位置させることにより、路面12からの灯体14の突出高さを低くしても、出射溝32を通過する光をナット53が遮ることがなく、所望の配光を得ることができる。
【００５８】
また、図４および図６に示すように、灯体14の各出射窓31から光を出射する出射方向ａに対して直交する灯体14の周辺部の２箇所の位置には、図示しない治具を係合してこの治具により灯体14を上方に引き上げてアダプタリング13から取り外すための治具係合部56が形成されている。
【００５９】
一方の治具係合部56は、灯体14の各出射窓31から光を出射する出射方向ａに対して直交する位置の締結部26に設けられており、この締結部26の凹部27の内壁面に灯体14の中心方向へ向けて係合孔57が形成されている。他方の治具係合部56は、灯体14に溝部58が設けられ、この溝部58の内壁面に灯体14の中心方向へ向けて係合孔57が形成されている。
【００６０】
そして、例えば、二股状で先端が開閉可能な治具を用い、この治具の二股の各先端に設けられている引掛爪を一方の治具係合部56に対しては凹部27に挿入して係合孔57に引っ掛け、他方の治具係合部56に対しては溝部58に挿入して係合孔57に引っ掛け、両係合孔57に引っ掛け状態で灯体14を上方に引き上げてアダプタリング13から外すことができる。
【００６１】
このように、灯体14をアダプタリング13から取り外す治具が係合される治具係合部56のうち、１つの治具係合部56を締結部26の位置に設けることにより、治具係合部56と締結部26とを共用でき、灯体14の構造が簡単になって製造性を向上できる。
【００６２】
また、灯体14の各出射窓31から光を出射する出射方向ａに対して直交する方向に治具係合部56を設けているため、治具を治具係合部56に取り付け損なった場合に治具が灯体14の中心側に移動しても出射窓31のプリズム39に当接することがなく、プリズム39の破損を防止できる。
【００６３】
また、灯体14の各出射窓31から光を出射する出射方向ａに対して直交する方向における質量バランスが、灯体14の各締結部26の位置関係や灯体14の下面に取り付けられる点灯ユニット60の影響などにより、中心位置25aよりも一方側（例えば灯体14の各出射窓31から光を出射する出射方向ａに対して直交する位置に設けられている締結部26と反対側）に少し偏っていても、その偏る方向に治具係合部56を設けているため、治具係合部56に治具を取り付けて支持した際の灯体14の全体の支持バランスは安定し、作業性を良好にできる。
【００６４】
なお、治具係合部56は、例えば、治具を引っ掛けることが可能な形状であればよく、溝、孔、溝内に突出する突起など、いずれでもよい。
【００６５】
また、灯体14の下面には発光ダイオード36を点灯させる点灯ユニット60が取り付けられている。この点灯ユニット60は、灯体14の下面に取り付けられるケース61、およびこのケース61に取り付けられた基板62などを有している。基板62には、点灯回路部品が実装されているとともに発光ダイオード36が実装され、さらに、レンズホルダ63によってレンズ38が取り付けられている。
【００６６】
次に、図７に第４の実施の形態を示し、図７は埋込形標識灯の平面図である。
【００６７】
２つの出射窓31は、光の出射方向ａが正反対の方向以外の方向の場合でも、灯体本体25の中心位置25aに対して互い違いとなる位置にそれぞれ配置できるとともに、各出射窓31の少なくとも一部が灯体本体25の中心位置25aより出射方向ａに対して反対側にそれぞれ配置できる。
【００６８】
この場合にも、灯体14をアダプタリング13から取り外す治具が係合される治具係合部56のうち、１つの治具係合部56を締結部26の位置に設けることにより、治具係合部56と締結部26とを共用でき、灯体14の構造が簡単になって製造性を向上できる。
【００６９】
また、灯体14の各出射窓31から光を出射する出射方向ａに対して直交する方向に治具係合部56を設けているため、治具を治具係合部56に取り付け損なった場合に治具が灯体14の中心側に移動しても出射窓31のプリズム39に当接することがなく、プリズム39の破損を防止できる。
【００７０】
また、灯体14の各出射窓31から光を出射する出射方向ａに対して直交する方向における質量バランスが、灯体14の出射溝32および各締結部26の位置関係や灯体14の下面に取り付けられる点灯ユニット60の影響などにより、中心位置25aよりも一方側（例えば灯体14の各出射窓31から光を出射する出射方向ａに対して直交する位置に設けられている締結部26と反対側）に少し偏っていても、その偏る方向に治具係合部56を設けているため、治具係合部56に治具を取り付けて支持した際の灯体14の全体の支持バランスは安定し、作業性を良好にできる。
【００７１】
なお、光学系37には、上述のような２つの出射窓31の配置を許容できれば、レンズ38およびプリズム39を用いる例に限らず、反射鏡などを用いてもよく、レンズ38とプリズム39と反射鏡となどの少なくともいずれか１つを用いればよい。
【図面の簡単な説明】
【００７２】
【図１】本発明の第１の実施の形態を示す埋込形標識灯の平面図である。
【図２】同上埋込形標識灯の１つの出射窓および出射溝を通る断面図である。
【図３】本発明の第２の実施の形態を示す埋込形標識灯の平面図である。
【図４】本発明の第３の実施の形態を示す埋込形標識灯の平面図である。
【図５】同上埋込形標識灯の１つの出射窓および出射溝を通る断面図である。
【図６】同上埋込形標識灯の光の出射方向と直交する方向の断面図である。
【図７】本発明の第４の実施の形態を示す埋込形標識灯の平面図である。
【符号の説明】
【００７３】
11    埋込形標識灯
13    設置部材としてのアダプタリング
14    灯体
25    灯体本体
25a   中心位置
26    締結部
31    出射窓
32    出射溝
36    光源としての発光ダイオード
37    光学系
39    プリズム
51    締結部品
56    治具係合部
ａ    出射方向
【図１】
2008311207.tif 000003
【図２】
2008311207.tif 000004
【図３】
2008311207.tif 000005
【図４】
2008311207.tif 000006
【図５】
2008311207.tif 000007
【図６】
2008311207.tif 000008
【図７】
2008311207.tif 000009